(57)【要約】【課題】簡易アイゼンに簡単確実に取り付け得、取り付けたアイゼンの滑り止め機能を高めると共に、歩行中のその横ズレを防止し得ること。【解決手段】円形の鍔体１と、その下面中央部から垂下するスパイク本体２と、鍔体２の上面中央部から立ち上がるリベットバー３と、リベットバー３の上端中央部から立ち上がるズレ防止ピン４とで構成する。リベットバー３は簡易アイゼン本体の取付孔の径に一致する径の円柱状部材であり、その長さ（高さ）はプレート部材の厚みを若干越える程度とする。プレート部材を越える部分の長さは、その上端に加えられる加締め圧力によって適切なサイズの固定鍔を生成するのに適する程度に設定する。ズレ防止ピン４は、取り付けた簡易アイゼンを登山靴に装着した場合に、その靴底の溝中に食い込んでアイゼンの横ズレを防止するのに適する程度のものとする。【選択図】　図１
2004008335.tif 000002
【特許請求の範囲】
【請求項１】
滑り止めのために登山靴に装着して使用する登山用アイゼンに取り付けるアイゼン用のスパイクであって、鍔体と、該鍔体の中央部から垂下するスパイク本体と、前記鍔体の中央部から立ち上がるリベットバーと、更にその上端中央部から立ち上がるズレ防止ピンとで構成したアイゼン用のスパイク。
【発明の詳細な説明】
【０００１】
【発明の属する技術分野】
本発明は、登山用の簡易アイゼンに滑り止めのために取り付けるアイゼン用のスパイクに関するものである。
【０００２】
【従来の技術】
アイゼンは、云うまでもなく、雪山の氷雪上を安全に歩行するために登山靴に取り付けて使用するものであるが、厳しい冬山登山ばかりでなく、雪の低山、夏の雪渓又は滑りやすい泥道に於ける歩行のためにもその滑落防止のために有効である。そして特にこのような軽登山で使用する簡易アイゼンには非常に多くのそれが提供されているが、その構成の基本は、いずれも、登山靴の下面に装着されて滑り止めの作用を果たすアイゼン本体と、これを登山靴に取り付けるための装着手段とからなるものである。
【０００３】
簡易アイゼンの上記二つの基本的な構成要素の内、アイゼン本体は、概ね、登山靴の下面に配される本体部分がプレート部材で構成され、これに氷雪に食い込んで滑り止め作用を果たす複数の爪又はスパイクが配された構成となっている。滑り止めが爪である場合は、通常、本体部分であるプレート部材の所要複数部位から突出させ、かつ所要方向に屈曲された一体構成となっており、別部品として構成し、これをプレート部材に取り付けるようなことは行われない。
【０００４】
これに対して、滑り止めがスパイクである場合は、別部品としてこれを構成し、本体部分であるプレート部材の所要複数部位に取り付けるようにするのが普通である。
【０００５】
そしてこのようなスパイク又は爪を構成した簡易アイゼンは、既述のように、氷雪上の歩行等の際にその滑り止めとして作用し、安全登山に資する訳であるが、これ自体を、歩行中にズレを生じさせることのないように登山靴に装着するのがなかなか難しく、それによってスパイク乃至爪の効果を減殺している傾向もある。
【０００６】
【発明が解決しようとする課題】
本発明は、以上の問題点を解決し、簡易アイゼンの本体部分であるプレート部材に簡単確実に取り付け得ると共に、これを取り付けたアイゼンが、登山靴に於いて、歩行中にズレを生じることのないように、ズレ止めの機能をも併せて有するアイゼン用スパイクを提供することを解決の課題とするものである。
【０００７】
【課題を解決するための手段】
本発明は、滑り止めのために登山靴に装着して使用する登山用アイゼンに取り付けるアイゼン用のスパイクであって、鍔体と、該鍔体の中央部から垂下するスパイク本体と、前記鍔体の中央部から立ち上がるリベットバーと、更にその上端中央部から立ち上がるズレ防止ピンとで構成したアイゼン用のスパイクである。
【０００８】
従って本発明のアイゼン用スパイクによれば、これを簡易アイゼンの本体部分であるプレート部材の所要複数部位に開口した取付孔にその下方から前記リベットバーを挿入し、上方から該リベットバーの上端に押圧力を加えてこれを加締めれば、その部位に周方向に広がる固定鍔を生成させることができ、この固定鍔と前記鍔体とで該取付孔の周縁を挟持させることにより、簡単に該プレート部材に取り付けることができる。
【０００９】
前記リベットバーの上端は、先端中央部に、前記ズレ防止ピンを嵌入状態にすることができる逃げ孔を備えた円柱状の加締め具を利用して加締めるのが適当である。このような加締め具の先端の環状になっている部位を、その中央の逃げ孔に前記ズレ防止ピンを嵌入状態にしながら、前記リベットバーの先端に当接させ、かつハンマーのような加圧手段で該加締め具の後端から打撃を加えて加圧すれば、前記のように、リベットバーの上端に周方向に張り出す固定鍔を容易に生成させることができる。
【００１０】
更にこのように取り付けた本発明のアイゼン用スパイクによれば、本体部分であるプレート部材の下方に突出するスパイクによって所望の滑り止め効果を発揮することができる外、該プレート部材の上方に突出するズレ防止ピンが登山靴のトレッドパターンの溝中に食い込むことにより、歩行中に於けるその横ズレを防止することもできる。
【００１１】
【発明の実施の形態】
本発明の実施の形態を、図面を参照しつつ実施例により詳細に説明する。
図１（ａ）は一実施例のアイゼン用スパイクの正面図、図１（ｂ）は平面図、図１（ｃ）は底面図、図２（ａ）はアイゼン本体のプレート部材の取付孔にリベットバーを挿入し、加締め具をこれに向かって下降させている状態を示した正面説明図、図２（ｂ）はアイゼン本体のプレート部材の取付孔に挿入したリベットバーの上端に加締め具の下端を当接させた状態を示した正面説明図、図２（ｃ）はアイゼン本体のプレート部材の取付孔に挿入したリベットバーの上端を加締め具の下端で加圧して該リベットバーの上端を加締めた状態を示した正面説明図、図３（ａ）は加締め具の下端でリベットバーの上端を加圧し加締めた状態を示した一部省略拡大正面説明図、図３（ｂ）は加締められてリベットバーの上端周囲に生成した固定鍔と鍔体とによりアイゼン本体のプレート部材に固定状態となっているアイゼン用スパイクを示す拡大正面説明図、図４は一実施例のアイゼン用スパイクを取り付けた簡易アイゼンの概略斜視図、図５は軽登山靴に一実施例のアイゼン用スパイクを取り付けた簡易アイゼンを装着する途中の概略斜視図、図６は軽登山靴に一実施例のアイゼン用スパイクを取り付けた簡易アイゼンを装着した状態の概略斜視図である。
【００１２】
この実施例のアイゼン用スパイクは、図１（ａ）〜（ｃ）に示すように、円形の鍔体１と、該鍔体１の下面中央部から垂下するスパイク本体２と、該鍔体２の上面中央部から立ち上がるリベットバー３と、更に該リベットバー３の上端中央部から立ち上がるズレ防止ピン４とで構成したものである。
【００１３】
前記鍔体１は、図１（ａ）に示すように、その上面が、取付対象の簡易アイゼン本体を構成するプレート部材ｐの下面に当接することとなるものであり、そのためこれに密着し得るようにするため、その上面は平面に構成してある。下面は、その中央から垂下するスパイク本体２に向かって僅かに膨らむ短いテーパ状となっている。この実施例では、該鍔体１は、その径を１０ｍｍ、厚みを外周部で１ｍｍ、差以内周部で２ｍｍとした。
【００１４】
前記スパイク本体２は、図１（ａ）、（ｃ）に示すように、基本的に徐々に下方に向かって細くなるテーパ状円柱体であり、最下部では、同様にテーパ状ではあるが、下端部に向かって急激に細くなる形状となっている。氷雪等に突き刺して滑り止めとする観点からそのサイズ及び形状が決定されている。この実施例では、該スパイク本体２は、その長さ（高さ）を７．５ｍｍ、基部の径を４ｍｍとした。
【００１５】
前記リベットバー３は、前記簡易アイゼン本体を構成するプレート部材ｐの取付孔ｈの径に一致させて構成した円柱状部材であるが、その長さは、図２（ａ）〜（ｃ）及び図３（ａ）、（ｂ）に示すように、プレート部材ｐの厚みを若干越える程度である。該プレート部材ｐを越える部分の長さは、その上端に加えられる加締め加圧によって適切なサイズの固定鍔３ａを生成するのに適する程度に設定するものである。この実施例では、該リベットバー３は、その径を４ｍｍ、長さ（高さ）を３ｍｍとした。
【００１６】
前記ズレ防止ピン４は、先に述べ、図１（ａ）、（ｂ）に示すように、リベットバー４の上端中央に立ち上げたものであり、そのサイズは、これを取り付けた簡易アイゼンを登山靴に装着した場合に、その靴底（ソール）のトレッドパターンの溝中に食い込んで該アイゼンの横ズレを防止するのに適する程度のものとする。この実施例では、該ズレ防止ピン４は、その基部の径を１．８ｍｍ、上端の径を０．５ｍｍ、長さ（高さ）を５ｍｍとした。
【００１７】
従ってこの実施例のアイゼン用スパイクによれば、これを簡易アイゼンの本体部分であるプレート部材ｐに簡単に取り付け、有効に滑り止め作用を働かせることができる。
【００１８】
前記プレート部材ｐへのアイゼン用スパイクの取り付けは、該プレート部材ｐの所要複数部位に開口した取付孔ｈ、ｈ…の各々にその下方から前記リベットバー３を挿入し、上方から該リベットバー３の上端を加圧することで行うことができる。上記のように、該リベットバー３の上端に加圧力を加えてこれを加締め、その部位に周方向に広がる固定鍔３ａを生成させれば、この固定鍔３ａと前記鍔体１とで該取付孔ｈの周縁を挟持させることができ、これによって簡単に該プレート部材ｐに取り付けることができる。
【００１９】
前記加締め操作は、例えば、図２（ａ）〜（ｃ）に示すように、円柱状部材の先端にズレ防止ピン４を嵌入することのできる逃げ孔５ａを開口してある棒状の加締め具５を用いて行うことができる。
【００２０】
図２（ａ）に示すように、アイゼン用スパイクは、簡易アイゼンの本体部分であるプレート部材ｐの取付孔ｈに下方からそのリベットバー３を挿入し、前記加締め具５をその上に下降させ、図２（ｂ）に示すように、該加締め具５の先端の環状になっている部位を、その中央の逃げ孔５ａに前記ズレ防止ピン４を嵌入状態にさせながら前記リベットバー３の上端に当接させ、次いで、図２（ｃ）及び図３（ａ）に示すように、該加締め具５を上方から下降方向に加圧して該リベットバー３の上端に周方向に張り出す固定鍔３ａを生成させる。この加圧は該加締め具５の上端からハンマー等により打撃を加えることにより容易に行うことができる。
【００２１】
図３（ｂ）は、以上のようにして、プレート部材ｐの取付孔ｈに取り付けられたアイゼン用スパイクを示している。
【００２２】
こうしてアイゼン用スパイクがプレート部材ｐに取り付けられると、その下方に突出するスパイク本体２によって所望の滑り止め効果を発揮することができるのは云うまでもなく、これに加えて、該プレート部材ｐの上方に突出するズレ防止ピン４が登山靴のトレッドパターンの溝中に食い込むことにより、歩行中に於けるその横ズレを防止することもでき、アイゼンの作用を更に確実に発揮させることができるようになる。
【００２３】
以下にこの実施例のアイゼン用スパイクを簡易アイゼンに取り付けた具体例について説明する。
【００２４】
この例の簡易アイゼンは、図４に示すように、フロントプレート１１と、ヒールプレート１２と、これらを結合するジョイント鎖（ジョイント部材）１３と、上記フロントプレート１１及び上記ヒールプレート１２に配したこの実施例の簡易アイゼン用スパイクと、登山靴に装着するためのバンド手段とで構成したものである。
【００２５】
前記フロントプレート１１は登山靴Ｓのつま先付近から土踏まず手前付近に配して使用されるもので、金属板材、この実施例ではステンレススチールの板材を打ち抜いて形成したものである。前記ヒールプレート１２は、登山靴Ｓのかかと部の位置に配して使用されるもので、前記フロントプレート１１と同様にステンレススチールの板材を打ち抜いて形成したものである。
【００２６】
これらのフロントプレート１１及びヒールプレート１２は、図４に示すように、相互を互いに近接する側の中央部間で前記ジョイント鎖１３により結合している。
【００２７】
この実施例のアイゼン用スパイクは、前記フロントプレート１１及びヒールプレート１２の両側部に連設する。この例では、図４に示すように、該フロントプレート１１の両側部にはそれぞれ三個のアイゼン用スパイクを、該ヒールプレート１２の両側部にはそれぞれ二個のアイゼン用スパイクを取り付ける。それぞれの部位への取り付け方は、先に述べた通りである。
【００２８】
前記フロントプレート１１及びヒールプレート１２の該当する部位に開口した取付孔に、アイゼン用スパイクのリベットバー３を下方から挿入し、該リベットバー３の上端を前記加締め具５を用いて加締めて固定鍔３ａを生成させ、これと鍔体１とによりそれぞれの部位に固定するものである。
【００２９】
こうして前記フロントプレート１１及び前記ヒールプレート１２の下方に垂下するスパイク本体２がそのスパイクになり、上方に突出するズレ防止ピン４がそのズレ防止ピン４となって、それぞれ所要の機能を果たすこととなる。
【００３０】
前記バンド手段は、図４に示すように、基本的に、後部抱持バンド１６と、これを支持する二本の後部立ち上げ鎖１７、１７と、前上部抱持バンド１８と、該後部抱持バンド１６及び該前上部抱持バンド１８の各々から装着する登山靴Ｓの外側を通って延長して相互に結合固着する延長結合片１６ａ、１８ａと、前部抱え鎖１９と、該後部抱持バンド１６及び該前上部抱持バンド１８の各々から装着する登山靴Ｓの内側を通って延長して相互に着脱自在に結合する着脱延長片１６ｂ、１８ｂと、該前上部抱持バンド１８を支持する外側の一対の前部立ち上げ鎖２０ａ、２０ａと、該前上部抱持バンド１８に着脱自在に結合してこれを支持する内側の一対の前部立ち上げ鎖２０ｂ、２０ｂとで構成するものである。
【００３１】
前記後部抱持バンド１６は、図４に示すように、薄板状の合成ゴムで構成した部材であり、図５及び図６に示すように、登山靴Ｓの足首部を後側から抱えるように支持するようになっている。該後部抱持バンド１６はまた前記後部立ち上げ鎖１７、１７を介して前記ヒールプレート１２に支持される。該後部立ち上げ鎖１７、１７は、それぞれ下端がヒールプレート１２の両側に結合し、各々の上端が該後部抱持バンド１６の該当する該側下部に結合しており、それ故、該後部抱持バンド１６は、ヒールプレート１２の両側部で支持されていることとなる。
【００３２】
また前記後部抱持バンド１６は、図４に示すように、その該当する一側に、装着する登山靴Ｓの外側を通って延長する延長結合片１６ａが構成してあり、他側に、図４〜図６に示すように、装着する登山靴Ｓの内側を通って延長する着脱延長片１６ｂが構成してある。前記着脱延長片１６ｂにはその先端に着脱自在な連結用のフック１６ｃが取り付けてある。なお該延長結合片１６ａ及び着脱延長片１６ｂは、いずれも前記後部抱持バンド１６と一体に弾力性を有する前記合成ゴムで構成したものである。
【００３３】
前記前上部抱持バンド１８は、図４〜図６に示すように、登山靴Ｓの前上部を抱える状態で支持するための部材であり、前記後部抱持バンド１６と同様の薄板状の合成ゴムで構成した部材である。また該前上部抱持バンド１８は、図４〜図６に示すように、中央部から、後部外側に延びる前記延長結合片１８ａ、後部内側に延びる前記着脱延長片１８ｂ及びその前方で左右に一対ずつ延びる抱持連結片１８ｃ、１８ｃ、１８ｄ、１８ｄを備えた形状であり、該抱持連結片１８ｃ、１８ｃ、１８ｄ、１８ｄの内、装着する登山靴Ｓの外側に延長する抱持連結片１８ｃ、１８ｃは、該当する側で前記フロントプレート１１から立ち上がる前部立ち上げ鎖２０ａ、２０ａと固結し、装着する登山靴Ｓの内側に延長する抱持連結片１８ｄ、１８ｄは、該当する側で前記フロントプレート１１から立ち上がる前部立ち上げ鎖２０ｂ、２０ｂと着脱自在に結合するようにする。
【００３４】
前記抱持連結片１８ｄ、１８ｄの先端には、図４〜図６に示すように、各々フック１８ｅを取り付け、前記フロントプレート１１の該当する部位から立ち上がる前部立ち上げ鎖２０ｂ、２０ｂの先端には各々リング２０ｃを取り付け、両者を前者のフック１８ｅと後者のリング２０ｃとで着脱自在に結合できるようにしたものである。
【００３５】
前記前上部抱持バンド１８の外側から後方に延びる前記延長結合片１８ａは、図４に示すように、前記後部抱持バンド１６の延長結合片１６ａと固結する。また前記前上部抱持バンド１８の内側から後方に延びる前記着脱延長片１８ｂは、前記後部抱持バンド１６の該当する側から延びる着脱延長片１６ｂと着脱自在に結合するようにする。既述のように、前記後部抱持バンド１６の着脱延長片１６ｂの先端には着脱自在な連結用のフック１６ｃが取り付けてあり、前記前上部抱持バンド１８の着脱延長片１８ｂの先端にはリング１８ｆを取り付け、両者を前者のフック１６ｃと後者のリング１８ｆとで着脱自在に結合できるようにしたものである。
【００３６】
前記前部立ち上げ鎖２０ａ、２０ａは、図４に示すように、前記フロントプレート１１の外側、即ち、装着する登山靴Ｓの外側に対応する側の前後にその下端を連結する鎖部材であり、先に述べたように、その各々の上端で前記前上部抱持バンド１８の抱持連結片１８ｃ、１８ｃと連結しているものである。また前記前部立ち上げ鎖２０ｂ、２０ｂは、前記フロントプレート１１の内側に、前記前部立ち上げ鎖２０ａ、２０ａと左右対称の位置にその下端を連結した鎖部材であり、先に述べたように、その上端には各々リング２０ｃが取り付けてあり、前記抱持連結片１８ｄ、１８ｄのフック１８ｅと着脱自在に結合できるようになっている。
【００３７】
前記前部抱え鎖１９は、図４〜図６に示すように、それぞれ前端側の前部立ち上げ鎖２０ａ、２０ｂの上端間を結合するように配された鎖部材であり、この例では、前部立ち上げ鎖２０ａ、前部抱え鎖１９及び前部立ち上げ鎖２０ｂを一本の鎖部材で構成し、その該当する部位に、前記リング２０ｃを配することで、これらが、そのように区分されるようになっている。該前部抱え鎖１９は、図６に示すように、装着する登山靴Ｓの前部を抱える役割を担当する。
【００３８】
従ってこの例に示した簡易アイゼンによれば、その登山靴Ｓへの装着が簡単にでき、かつ装着して氷雪上や泥道を歩く際には、既述のように、この実施例のアイゼン用スパイクがフロントプレート１１及びヒールプレート１２に取り付けてあるので、滑り止めとして有効に機能すると共に、これが歩行中に前後又は左右にズレることもないので、滑落等を防止してより安全な歩行を確保することができる。更にはその取り外しも簡単であり、携帯及び保管にも便利である。
【００３９】
まずこの実施例の簡易アイゼンの登山靴Ｓへの装着は次のように行う。
図４に示すように、フロントプレート１１及びヒールプレート１２を、前者を前に後者を後に位置させながら、その横ズレ防止ピン４、４…の立ち上がった面を上向きにして配し、この上に、図５に示すように、登山靴Ｓを載せる。図中にはこれを履いている登山者の足は描かれていないが、これは作図の都合上であって、実際には登山靴Ｓは登山者が履いた状態でこの簡易アイゼンの装着を行う。
【００４０】
上記状態のフロントプレート１１の上には、登山靴Ｓのつま先付近から土踏まずの手前付近までを載せ、ヒールプレート１２にはかかと部付近を載せる。図５に示すように、この状態で、前記後部抱持バンド１６を登山靴Ｓの足首後部側を巻いて支持し、その着脱延長片１６ｂを該登山靴Ｓの内側から前方に延長状態とする。
【００４１】
他方、図５に示すように、前記前部抱え鎖１９を該登山靴Ｓのつま先部を巻くように配し、かつ前記前上部抱持バンド１８を該登山靴Ｓの前上部を抱えるように配すると共に、該前上部抱持バンド１８の着脱延長片１８ｂを該登山靴Ｓの内側後方に引っ張り延長させ、その先端のリング１８ｆを前記後部抱持バンド１６の着脱延長片１６ｂ先端のフック１６ｃに係止し、両者を結合する。
【００４２】
更に該前上部抱持バンド１８の抱持連結片１８ｄ、１８ｄを装着する登山靴Ｓの内側に引っ張り、その先端の各フック１８ｅを、それぞれフロントプレート１１の内側から立ち上がっている前部立ち上げ鎖２０ｂ、２０ｂの先端のリング２０ｃに係止し、両者を結合する。こうして、図６に示すように、この登山靴Ｓへのこの実施例の簡易アイゼンの装着は完了である。
【００４３】
なお以上の説明では、前上部抱持バンド１８の着脱延長片１８ｂと後部抱持バンド１６の着脱延長片１６ｂの連結を先に行い、前上部抱持バンド１８の抱持連結片１８ｄ、１８ｄと前部立ち上げ鎖２０ｂ、２０ｂとの連結を後から行う手順による装着の仕方を説明したが、これは逆であっても問題はないのは云うまでもない。
【００４４】
以上の説明は、左側の登山靴Ｓへの装着の説明であるが、右側の登山靴Ｓも左側のそれと左右対称であるだけであり、同様にして、左側のそれと左右対称に構成された右側用の簡易アイゼンを装着できる。
【００４５】
このようにこの例の簡易アイゼンは、図６に示すように、フロントプレート１１及びヒールプレート１２を、登山靴Ｓの足首後部側では後部抱持バンド１６で支持し、つま先部では前部抱え鎖１９で巻いて支持し、前上部では前上部抱持バンド１８で抱えて支持することにより登山靴Ｓに装着するものであり、登山靴Ｓの種類を問わず安全確実に、しかも簡単かつスピーディに装着できる。
【００４６】
またこの例の簡易アイゼンは、前記ヒールプレート１２及び前記フロントプレート１１の下部にスパイク本体２、２…が垂下突出させてあるため、これによって氷雪上や泥道に於ける滑り止めの効果が十分発揮できるのは云うまでもなく、該ヒールプレート１２及び該フロントプレート１１の上面には横ズレ防止ピン４、４…が立ち上がっているので、前記後部抱持バンド１６、前部抱え鎖１９及び前上部抱持バンド１８の作用と相俟って、歩行中に該ヒールプレート１２及び該フロントプレート１１が前後又は左右にズレるような虞がない。それ故、一層歩行の安全性が確保できるものである。
【００４７】
【発明の効果】
本発明のアイゼン用スパイクによれば、これを簡易アイゼンの本体部分であるプレート部材に開口した取付孔にその下方からそのリベットバーを挿入し、上方から該リベットバーの上端に圧力を加えてこれを加締めれば、その部位に周方向に広がる固定鍔を生成させることができ、この固定鍔と前記鍔体とで該取付孔の周縁を挟持させて、簡単に該プレート部材に取り付けることができる。
【００４８】
更にこのように取り付けた本発明のアイゼン用スパイクによれば、本体部分であるプレート部材の下方に突出するスパイクによって所望の滑り止め効果を発揮することができる外、該プレート部材の上方に突出するズレ防止ピンが登山靴のトレッドパターンの溝中に食い込むことにより、歩行中に於けるその横ズレを防止することもできる。
【図面の簡単な説明】
【図１】（ａ）は一実施例のアイゼン用スパイクの正面図。
（ｂ）は一実施例のアイゼン用スパイクの平面図。
（ｃ）は一実施例のアイゼン用スパイクの底面図。
【図２】（ａ）はアイゼン本体のプレート部材の取付孔にリベットバーを挿入し、加締め具をこれに向かって下降させている状態を示した正面説明図。
（ｂ）はアイゼン本体のプレート部材の取付孔に挿入したリベットバーの上端に加締め具の下端を当接させた状態を示した正面説明図。
（ｃ）はアイゼン本体のプレート部材の取付孔に挿入したリベットバーの上端を加締め具の下端で加圧して該リベットバーの上端を加締めた状態を示した正面説明図。
【図３】（ａ）は加締め具の下端でリベットバーの上端を加圧し加締めた状態を示した一部省略拡大正面説明図。
（ｂ）は加締められてリベットバーの上端周囲に生成した固定鍔と鍔体とによりアイゼン本体のプレート部材に固定状態となっているアイゼン用スパイクを示す拡大正面説明図。
【図４】一実施例のアイゼン用スパイクを取り付けた簡易アイゼンの概略斜視図。
【図５】軽登山靴に一実施例のアイゼン用スパイクを取り付けた簡易アイゼンを装着する途中の概略斜視図。
【図６】軽登山靴に一実施例のアイゼン用スパイクを取り付けた簡易アイゼンを装着した状態の概略斜視図。
【符号の説明】
１　　鍔体
２　　スパイク本体
３　　リベットバー
３ａ　固定鍔
４　　ズレ防止ピン
５　　加締め具
５ａ　逃げ孔
１１　　フロントプレート
１２　　ヒールプレート
１３　　ジョイント鎖
１６　　後部抱持バンド
１６ａ　後部抱持バンドの延長結合片
１６ｂ　後部抱持バンドの着脱延長片
１６ｃ　着脱延長片のフック
１７　　後部立ち上げ鎖
１８　　前上部抱持バンド
１８ａ　前上部抱持バンドの延長結合片
１８ｂ　前上部抱持バンドの着脱延長片
１８ｃ、１８ｄ　抱持連結片
１８ｅ　抱持連結片８ｄの先端のフック
１８ｆ　着脱延長片の先端のリング
１９　　前部抱え鎖
２０ａ　前部立ち上げ鎖
２０ｂ　前部立ち上げ鎖
２０ｃ　前部立ち上げ鎖２０ｂの先端のリング
ｈ　　取付孔
ｐ　　プレート部材
Ｓ　　登山靴
【図１】
2004008335.tif 000003
【図２】
2004008335.tif 000004
【図３】
2004008335.tif 000005
【図４】
2004008335.tif 000006
【図５】
2004008335.tif 000007
【図６】
2004008335.tif 000008